(57)【要約】      （修正有）【課題】  高さ及び鉛直度調整用のライナーを極力小さいものとするとともに目地間隙内への目地モルタルの充填性を向上させて接合部の強度を確保する。【解決手段】先に設置した台座又は既設ＰＣ柱等の既設部分上端の接合面１１ａと、その上方延長方向に接合する新設ＰＣ柱１２の下端の接合面１２ａの内の一方の面の中央部分に、目地間隙１３より低い高さの突起部１5を一体に形成し、その突起部１5の突出方向側端面に中央部分にＰＣ柱の外周面に連通開口させた目地モルタル注入路１８を設け、突起部１5に、一端が目地モルタル注入路１８に連通され、他端が突起部１5の側面に開口された放射状配置の分配路１７を備えておき、突起部の端面と他方の接合端面とをその間にライナー１６を介在させて新設ＰＣ柱の鉛直度及び高さを調整した後、目地モルタル注入路１８より目地モルタル14を注入する。【選択図】    図１
2006200197.tif 000002
【特許請求の範囲】
【請求項１】
先に設置した台座又は既設プレキャストコンクリート柱等の既設部分上端の接合面に対してその上方延長方向に新設プレキャストコンクリート柱の下端の接合面を対向させ、前記両接合面間にライナーを介在させて新設プレキャストコンクリートの高さ及び鉛直度の調整を行い、然る後前記両接合面間の目地間隙に目地モルタルを充填するプレキャストコンクリート柱の接合方法において、
前記両接合面の内の一方の面の中央部分に、前記目地間隙より低い高さの突起部を一体に形成しておき、かつ該突起部の突出方向側端面に中央部分にプレキャストコンクリート柱の外周面に連通開口させた目地モルタル注入路を設けると共に、前記突起部に、一端が前記目地モルタル注入路に連通され、他端が該突起部の外周に開口された分配路を放射状配置に多数備えておき、前記突起部の端面と他方の接合端面とをその間にレベル調整用ライナーを介在させて接合させることにより新設プレキャストコンクリート柱の鉛直度及び高さを調整した後、前記目地モルタル注入路より目地モルタルを注入し、前記分配路を通じて目地間隙内に目地モルタルを充填させることを特徴としてなるプレキャストコンクリート柱の接合方法。
【請求項２】
前記分配路は、前記突起部の突出方向側端面に、放射状の配置に形成した凹溝により構成している請求項１に記載のプレキャストコンクリート柱の接合方法。
【請求項３】
前記新設プレキャストコンクリート柱の高さ及び鉛直度の調整後、目地間隙のプレキャストコンクリート柱外周面側の開放部を目地型枠の表面に保持させたスポンジ等の通気性弾性をもって覆った後目地モルタルの注入作業を行う請求項１又は２に記載のプレキャストコンクリート柱の接合方法。
【発明の詳細な説明】
【技術分野】
【０００１】
本発明は、プレキャストコンクリート柱（以下「ＰＣ柱」と記す）を台座又は先に立設したＰＣ柱上に接合して立設する際の接合方法に関する。
【背景技術】
【０００２】
従来、ＰＣ柱の立設に際しては、図４に示すように先に構築したコンクリート製の台座又は既設ＰＣ柱等の既設部分１と、その上に新たに立設しようとする新設ＰＣ柱２との接合端面１ａ，２ａ間に４隅にライナー３，３……を介在させて新設ＰＣ柱２の鉛直度及び高さを調整し、ライナーによって形成された接合端面１ａ，２ａ間の目地間隙内に目地モルタル４を充填することによって接合させている（例えば特許文献１）。
【０００３】
尚、図示してないが、この他に連結ボルトやプレストレスト緊張材を使用して既設部分１と新設ＰＣ柱２とを一体化する。
【０００４】
また目地モルタル４注入は、目地間隙の柱周囲の開放部を型枠５にて覆い、モルタル注入機６使用して行うものであり、型枠５には目地間隙の上下縁部に通気性のあるスポンジ７を宛がってモルタルの漏れを防止すると共に注入時にスムーズな排気がなされるようにしている。
【特許文献１】特開２００４−２７８２１１公報
【発明の開示】
【発明が解決しようとする課題】
【０００５】
上述の如き従来のＰＣ柱の接合方法では、高さ及び鉛直度の調整に際し、重機によってＰＣ柱を吊り上げた状態で、目地間隙にライナーを挿入することによって行うものであるため、調整作業が完了するまで重機を使用し続けなければならず、重機の使用効率が悪いという問題があった。
【０００６】
また、高さ及び鉛直度の調整後における目地モルタルの充填作業を、目地間隙の外周側から行うものであるため、自然流下による充填が困難であり、ポンプを使用した加圧注入によらなければならず、その充填性に問題があった。また、高さ及び鉛直度の調整のためのライナーの容積が大きくなり、接合部分にヤング率の異なる材料の占める割合が大きくなって応力集中が生じるという問題があった。
【０００７】
また、上述した従来の目地間隙の周囲を覆う型枠は、目地間隙の縁部に設けてあるため、その厚さ分だけ型枠面が後退することとなり、目地モルタルがコンクリート柱の周囲に環状に突出し、これをはつり取る作業が必要になるという問題があった。
【０００８】
本発明は、上述のような従来の問題に鑑み、高さ及び鉛直度調整作業に際しての重機の使用時間を短くして重機の使用効率を良くし、またライナーを極力薄いものとして応力集中を緩和し、しかも目地間隙内への目地モルタルの充填性を向上させること、及び接合後に目地モルタルの突出をなくし、仕上げのはつり作業を不要とすることを目的としてなされたものである。
【課題を解決するための手段】
【０００９】
上述の如き従来の問題を解決し、所期の目的を達成するための請求項１に記載の発明の特徴は、先に設置した台座又は既設ＰＣ柱等の既設部分上端の接合面に対してその上方延長方向に新設ＰＣ柱の下端の接合面を対向させ、前記両接合面間にライナーを介在させて新設プレキャストコンクリートの高さ及び鉛直度の調整を行い、然る後前記両接合面間の目地間隙に目地モルタルを充填するＰＣ柱の接合方法において、前記両接合面の内の一方の面の中央部分に、前記目地間隙より低い高さの突起部を一体に形成しておき、かつ該突起部の突出方向側端面に中央部分にＰＣ柱の外周面に連通開口させた目地モルタル注入路を設けると共に、前記突起部に、一端が前記目地モルタル注入路に連通され、他端が該突起部の外周に開口された分配路を放射状配置に多数備えておき、前記突起部の端面と他方の接合端面とをその間にレベル調整用ライナーを介在させて接合させることにより新設ＰＣ柱の鉛直度及び高さを調整した後、前記目地モルタル注入路より目地モルタルを注入し、前記分配路を通じて目地間隙内に目地モルタルを充填させることにある。
【００１０】
また、請求項２に記載の発明の特徴は、前記請求項1の構成に加え、前記分配路は、前記突起部の突出方向側端面に、放射状の配置に形成した凹溝により構成していることにある。
更に、請求項３に記載の発明の特徴は、前記請求項1又は２の構成に加え、前記新設ＰＣ柱の高さ及び鉛直度の調整後、目地間隙のＰＣ柱外周面側の開放部を目地型枠の表面に保持させたスポンジ等の通気性弾性材をもって覆った後目地モルタルの注入作業を行うことにある。
【発明の効果】
【００１１】
本発明においては、先に設置した台座又は既設ＰＣ柱等の既設部分上端の接合面と、新設ＰＣ柱の下端の接合面の内の一方の面の中央部分に、前記目地間隙より低い高さの突起部を一体に形成しておき、この突起部部分にライナーを介在させるようにしていることにより、鉛直度の調整は重機を使用することなく、上下のＰＣ柱を一体化するためのＰＣ鋼棒などのＰＣ緊張材の締め込み度の調整によって行うことができ、重機の使用効率が向上する。また、目地モルタルの充填性を向上させるために目地間隙を大きくしても高さ調節のためのライナーを薄いものとすることができ、応力集中が緩和される。
【００１２】
また、突起部の突出方向側端面に中央部分にＰＣ柱の外周面に連通開口させた目地モルタル注入路を設けると共に、前記突起部に、一端が前記目地モルタル注入路に連通され、他端が該突起部の外周に開口された分配路を放射状配置に多数備えておき、この目地モルタル注入路より分配路を通じて目地間隙ないに目地モルタルの注入を行うようにしたことにより、目地間隙の中央部分から外周側に目地モルタルが注入されるため、目地モルタルの充填が隙間無く完全になされることとなるとともに、その充填のための作業は1つの開口から単に注入するのみでよく、しかもその注入は自然流下であっても充分な充填性を確保することが可能となり作業性が良い。
【００１３】
また、目地間隙は、前述した接合面の突起部によってその高さ分の大部分を構成させることができ、ライナーは高さ及び鉛直度の調整のために必要な最小限に留めることができ、しかもＰＣ柱の接合面中央部分の小面積部分に備えるのみでよいため、材料費か少なく、またＰＣ柱接合目地内に占める容積が小さいため、断面欠損が少なくなり品質の高い接合部が得られる。
【００１４】
また、前記分配路を、前記突起部の突出方向側端面に、放射状の配置に形成した凹溝により構成することにより、分配路の形成が容易にできる。
【００１５】
更に、新設ＰＣ柱の高さ及び鉛直度の調整後、目地間隙のＰＣ柱外周面側の開放部を目地型枠の表面に保持させたスポンジ等の通気性弾性材をもって覆った後目地モルタルの注入作業を行うことにより、目地部の外周はＰＣ柱の外周面と同一平面に形成することができ、仕上げのためのはつり作業が不要となる。
【発明を実施するための最良の形態】
【００１６】
次に本発明の実施の形態を図面に示した実施例に基づいて説明する。
【００１７】
図１は本発明方法によって構築されるＰＣ柱の接合部の一例を示している。図中１１は先に立設された既設ＰＣ柱であり、１１ａはその上端の接合面、１２は既設ＰＣ柱１１の上端に延長方向に向けて接合される新設ＰＣ柱であり、１２ａはその下端の接合面、１３は両接合面１１ａ，１２ａ間に形成される目地間隙である。目地間隙１３には目地モルタル１４が充填されている。
【００１８】
新設ＰＣ柱１２の下端の接合面１２ａには、その中央には新ＰＣ柱１２の断面形状と相似形の突起部１５が一体に形成されており、その突起部１５と既設ＰＣ柱１１の接合端面１１ａとの間にライナー１６が介在されており、このライナー１６によってＰＣ柱製造誤差による新設ＰＣ柱１２の高さ及び鉛直度の狂いを調整している。
【００１９】
このライナー１６は誤差調整に必要な高さ分の厚さに成形されたものを使用しており、例えば目地間隙１３が目地モルタル充填に必要な３０ｍｍとすると、誤差調整に必要な１０ｍｍをライナー１６の厚さとし、残りの２０ｍｍを突起部１５の高さとして目地間隙を構成させている。
【００２０】
突起部１５の下面には、その中央部分で十字状に交差した配置の凹溝からなる分配路１７,１７……が形成されている。この分配路１７は突起部１５下面中央を中心にして突起部周囲の４辺中央に向けた放射状に配置されている。
【００２１】
新設ＰＣ柱１２には、突起部１５の下面中央に吐出口が開口され、ＰＣ柱の側面に注入口が開口した目地モルタル注入路１８が形成されており、その吐出口が前記各分配路１７の放射状の中心位置に開口してぞれぞれの分配路１７連通されている。
【００２２】
このように構成される既設・新設ＰＣ柱１１，１２間の接合施工に際しては、予め突起部１５、分配路１７及び目地モルタル注入路１８を新設ＰＣ柱１２の製造時に一体に成形しておき、その新設ＰＣ柱１２を既設ＰＣ柱１１の上端に接合面１１ａ，１２ａを対向させて建て込む。この建て込み作業は重機によって新設ＰＣ柱１２を鉛直方向に吊り上げて行い、吊り上げた状態で高さの調整を行い、突起部１５と既設ＰＣ柱１１上端の接合面１１ａとの間に、必要な厚さのライナー１６を介在させる。
【００２３】
このようにして高さの調整作業を行った後、ＰＣ柱１１，１２の突起部外周側の４箇所に予め形成したＰＣ鋼棒挿通孔２２ａ，２２ｂ内にＰＣ鋼棒２３を挿通し、その締め込み度を調整することによって新設ＰＣ柱１２の鉛直度を調整する。
【００２４】
次いで、目地間隙１３のＰＣ柱周囲の開放部を型枠１９にて閉鎖する。この時、型枠１９には、目地間隙を覆う通気性のあるスポンジからなる通気性弾性材２０を保持させておき、この通気性弾性材２０によって目地間隙の外周側開放部を覆わせる。
【００２５】
この状態で目地モルタル注入路１８のＰＣ柱１２外面の注入口よりにピストンポンプを用いたモルタル注入器２１を使用して目地モルタル１４を注入する。注入された目地モルタルは目地モルタル注入路１８から各分配路１７を通じて目地間隙１３内に押し出され、その中央部分から外周側に向けて押し出され、目地間隙１３内全域に充填される。
【００２６】
このようにして目地モルタルを注入後、その固化を待って型枠１９とともに通気性弾性材２０を取り外して接合作業を終了する。型枠取り外し後の接合部の外周は、目地モルタル部分がＰＣ柱外面に突出することなく、ＰＣ柱外周面と同一平面の目地が形成される。
【００２７】
尚、上述の実施例においてはＰＣ鋼棒を新旧ＰＣ柱に連続させて挿通し、この締め込みによって鉛直度の調整を行うようにしているが、旧ＰＣ柱に挿通させて緊張定着したＰＣ鋼棒にカプラーを介して新ＰＣ柱に挿通したＰＣ鋼棒を連結し、その締め込み度の調整によって鉛直度を調整してもよく、また、上述したＰＣ鋼棒に代えて、既設・新設ＰＣ柱間を連結するためのボルトや締結用の緊張材等を使用してもよい。
【００２８】
また、上述の実施例では、新設ＰＣ柱の下端部に、突起部、分配路及び目地モルタル注入路を設けたものについて説明しているが、既設ＰＣ柱の上端にこれらを備えたものであってもよい。
【００２９】
更に、分配路を凹溝により構成しているが、この他、突起部側面に一端を開口させ、他端を目地モルタル注入路に連通させた孔であってもよい。
【００３０】
更に、上述の例では、既設ＰＣ柱に対して新設ＰＣ柱を接合する場合を示しているが、既設部分はＰＣ柱の他、プレキャスト又は場所打ちのコンクリート製台座であってもよい。
【図面の簡単な説明】
【００３１】
【図１】本発明に係る方法によって接合されるＰＣ柱接合部の構造を示す断面図である。
【図２】同上の接合部を分解して示す斜視図である。
【図３】同上の目地モルタル注入時の型枠部分を示す部分拡大断面図である。
【図４】従来のＰＣ柱接合方法を示す断面図である。
【符号の説明】
【００３２】
１１  既設ＰＣ柱
１１ａ  接合面
１２  新設ＰＣ柱
１２ａ  接合面
１３  目地間隙
１４  目地モルタル
１５  突起部
１６  ライナー
１７  分配路
１８  目地モルタル注入路
１９  型枠
２０  通気性弾性材
２１  モルタル注入器
２２ａ，２２ｂ  ＰＣ鋼棒挿通孔
２３  ＰＣ鋼棒２３
【図１】
2006200197.tif 000003
【図２】
2006200197.tif 000004
【図３】
2006200197.tif 000005
【図４】
2006200197.tif 000006